(57)【要約】【課題】簡易な構造でありながら、搬送者が階段等を登る際の肉体的負担を軽減し且つ平坦路でも走行性が良く、搬送者の安全性向上に役立つハンドカートを提供する。【解決手段】ハンドカート１はハンドル装置１１０とハンドル装置等取付基部１２０と走行車輪２と載置部３を備えている。走行車輪２は車輪構成体２０１，２０２を幅方向に配置し、車軸を中心に回動し回動角度は２２．５°に形成されている。車輪構成体２０１，２０２外周部に車軸を挟み正対するよう等間隔に８箇所設けられた切欠部２１１は車輪構成体２０１，２０２各外周面の全幅にわたり側面視で凹部の底部分が９０°の扇形になるよう切り欠いて形成され、各切欠部２１１間の外周面は接地面２１２を構成し、各接地面２１２が形成する軌跡は円形状をなすよう形成されている。車輪構成体２０１は回動停止手段２３０が設けられている。【選択図】        図４
2005313873.tif 000002
【特許請求の範囲】
【請求項１】
車輪を備えたハンドカート(1a)であって、
円形状の車輪(2a)の外周部分から中心方向に向けて等間隔で所要数の凹部(211)が形成され、残部は接地面(212)となっており、
上記凹部(211)は階段の踏面(52)と蹴込(51)とで形成される角部(53)を受け入れるよう形成されており、
残部の接地面(212)は車輪(2a)の走行周面を構成し、走行時に走行周面が形成する軌跡は円形状をなすよう形成されていることを特徴とする、
ハンドカート。
【請求項２】
車輪(2b)を備えたハンドカート(1b)であって、
該車輪(2b)は外周の形状を変えることができるよう構成されていることを特徴とする、
ハンドカート。
【請求項３】
階段走行時には、階段の踏面(52)と蹴込(51)とで形成される角部(53)を受け入れる凹部(211)が形成され、それ以外の時には外周が円形状をなすよう構成された車輪(2b)を備えていることを特徴とする、
ハンドカート。
【請求項４】
幅方向に配置された所要数の車輪構成部材(201,202)を有し、該車輪構成部材(201,202)をずらすことにより車輪(2b)の外周の形状を変えることができることを特徴とする、
ハンドカート用車輪。
【請求項５】
物品を搬送するハンドカート(1b)であって、ハンドル(110)と、物品の載置部(3)と、走行車輪(2b)を備えており、
各走行車輪(2b)は、略円盤状に形成された二以上の車輪構成部材(201,202)を幅方向に配置して構成されており、
各走行車輪(2b)の外径は、階段等の蹴込(51)の高さと同等または本質的に同等あるいは径大に形成されており、
各車輪構成部材(201,202)の外周の所要箇所には、全幅または幅方向の一部にわたって階段等の角部が嵌入し係合するよう形成された複数の凹部(211)が設けられ、各凹部(211)間の外周部は接地面(212)を構成し、
各接地面(212)は車輪の走行周面を構成し、走行時に走行周面が形成する軌跡は円形状をなすよう形成されており、
車輪構成部材(201,202)は、車軸を中心に所要角度回動可能に形成されており、
各車輪構成部材(201,202)を回動させると、外周に形成された各凹部(211)及び各接地面(212)の組み合わせにより現れる走行車輪(2b)外周面の形状が変化し、
上記走行車輪(2)外周面に係る一の形状は、各車輪構成部材(201,202)に係る凹部(211)が幅方向に互いに合致し、走行車輪(2b)外周において、断続的に凹部(211)と接地面(212)が連続する形状となり、
上記走行車輪(2b)外周面に係る他の形状は、各車輪構成部材(201,202)に係る凹部(211)と接地面(212)を幅方向に互い違いに位置し、接地面(212)が連続するまたは本質的に連続する形状となることを特徴とする、
ハンドカート。
【請求項６】
回動する各車輪構成部材(201,202)を所要の位置で停止させるための手段(230)が形成されていることを特徴とする、
請求項５記載のハンドカート。
【請求項７】
走行車輪(2a,2b)の逆回転防止または停止手段(212,221)と、逆回転解除手段を備えていることを特徴とする、
請求項１、２、３、５または６記載のハンドカート。
【請求項８】
走行車輪(2a,2b)は左右一対であることを特徴とする、
請求項１、２、３、５、６または７記載のハンドカート。
【発明の詳細な説明】
【技術分野】
【０００１】
本発明は、ハンドカートに関する。更に詳しくは、物品を積載して段差を登る際に安全且つ搬送者の肉体的負担を軽減するハンドカートであって、且つ平坦路でも走行性が良いハンドカートに関する。
【背景技術】
【０００２】
従来、物品の搬送手段として、ハンドカートが使用されている。ハンドカートを使用すれば、直接物品を抱えあるいは提げて運搬するよりも少ない力で物品を搬送できるため、搬送者の肉体的負担が軽減される。特に、重量物を搬送する際にその効果は顕著である。そのため、ハンドカートは女性や高齢者にも広く使用されている
【０００３】
しかし、ハンドカートは、使用の途中に階段等の段差（以下「階段等」という。）があった場合、ハンドカートのタイヤが小さくて段差を乗り越えられない、あるいはタイヤが滑って段差を登りにくいという問題があった。
このような場合、搬送者は物品を積載したハンドカートごと持ち上げて登る、あるいは、ハンドカートから物品を取り外して別個に持って登っていたため、搬送者の肉体的負担となっていた。
【０００４】
そこで、搬送者の肉体的負担を軽減するため、下記特許文献１に示すような段差運行手押車が提案されている。該段差運行手押車を使用した場合、段差運行手押車を牽引しながら階段等を登ることができるため、物品ごと段差運行手押車を持ち上げる等して階段を登るよりも、楽に物品を搬送することができる。
【特許文献１】特開２００２−１９６１６
【０００５】
しかし、特許文献１に係る段差運行手押車は、十字状に形成された支持桿の各端部に走行車輪を必要とするため、構成部品数が多くなるという課題があった。
また、上記段差運行手押車は、平坦路走行時は十字状支持桿のうち車軸連結横バーより上方に位置した部分は不使用状態となるため、該部分は嵩張り、また、見た目のまとまりが悪いという課題があった。
更にまた、上記段差運行手押車は、十字状支持桿が踏面及び蹴込に当接しながら回転するものであるため、支持桿端部に設けられた段差昇降車輪は支持桿の太さと同程度の外径のものしか採用できない。このような小径の車輪は平坦路走行時に細かな凹凸等に引っかかりやすく、走行性が良くないという課題もあった。
【０００６】
そこで、ハンドカートに、下記特許文献２に示す荷物運搬用階段登行車両において提案されている、周面に車両進行方向に直角な突条を多数有するタイヤを使用するという考えもある。上記構造のタイヤは、段差及び平坦路において走行性が良く、楽に物品を搬送することができる。
なお、上記タイヤは、階段等登行時には段差に係る角部が食い込みやすいように低めの空気圧とすることが好適であるのに対し、平坦路走行時は階段登行時より高めの空気圧とすることが好適であるため、空気圧の調整作業が必要であった。
このため、特許文献２の実施例に記載された荷物運搬用階段登行車両は、タイヤの空気圧調整装置を備えている。
【特許文献２】特開平４−３５３０８５号
【発明の開示】
【発明が解決しようとする課題】
【０００７】
しかし、上記タイヤを、個人が手荷物の運搬に使用する簡素なハンドカートの車輪とした場合、下記のような課題があった。
即ち、階段等を登る際にタイヤの空気を抜き、そのまま平坦路を移動する場合、タイヤの接地面積が増えて抵抗が増すため、搬送者はハンドカートの牽引により多くの力を必要とする。
一方、階段等を登る際にタイヤの空気を抜き、平坦路を移動する際に再度タイヤに空気を入れる作業を毎回行うことは、手間である。
また、上記手間を解消するために、ハンドカートにタイヤの空気圧調整装置を設けた場合、ハンドカート全体の重量が増加し、また、製造行程が複雑化する。
【０００８】
（発明の目的）
本発明の目的は、簡易な構造でありながら、搬送者が階段等を登る際の肉体的負担を軽減し且つ平坦路でも走行性が良く、搬送者の安全性向上に役立つハンドカートを提供することにある。
【課題を解決するための手段】
【０００９】
上記目的を達成するために本発明が講じた手段は次のとおりである。
第１の発明にあっては、
車輪を備えたハンドカートであって、
円形状の車輪の外周部分から中心方向に向けて等間隔で所要数の凹部が形成され、残部は接地面となっており、
上記凹部は階段の踏面と蹴込とで形成される角部を受け入れるよう形成されており、
残部の接地面は車輪の走行周面を構成し、走行時に走行周面が形成する軌跡は円形状をなすよう形成されていることを特徴とする、
ハンドカートである。
【００１０】
第２の発明にあっては、
車輪を備えたハンドカートであって、
該車輪は外周の形状を変えることができるよう構成されていることを特徴とする、
ハンドカートである。
【００１１】
第３の発明にあっては、
階段走行時には、階段の踏み面と蹴込とで形成される角部を受け入れる凹部が形成され、それ以外の時には外周が円形状をなすよう構成された車輪を備えていることを特徴とする、
ハンドカートである。
【００１２】
第４の発明にあっては、
幅方向に配置された所要数の車輪構成部材を有し、該車輪構成部材をずらすことにより車輪の外周の形状を変えることができることを特徴とする、
ハンドカート用車輪である。
【００１３】
第５の発明にあっては、
物品を搬送するハンドカートであって、ハンドルと、物品の載置部と、走行車輪を備えており、
各走行車輪は、略円盤状に形成された二以上の車輪構成部材を幅方向に配置して構成されており、
各走行車輪の外径は、階段等の蹴込の高さと同等または本質的に同等あるいは径大に形成されており、
各車輪構成部材の外周の所要箇所には、全幅または幅方向の一部にわたって階段等の角部が嵌入し係合するよう形成された複数の凹部が設けられ、各凹部間の外周部は接地面を構成し、
各接地面は車輪の走行周面を構成し、走行時に走行周面が形成する軌跡は円形状をなすよう形成されており、
車輪構成部材は、車軸を中心に所要角度回動可能に形成されており、
各車輪構成部材を回動させると、外周に形成された各凹部及び各接地面の組み合わせにより現れる走行車輪外周面の形状が変化し、
上記走行車輪外周面に係る一の形状は、各車輪構成部材に係る凹部が幅方向に互いに合致し、走行車輪外周において、断続的に凹部と接地面が連続する形状となり、
上記走行車輪外周面に係る他の形状は、各車輪構成部材に係る凹部と接地面を幅方向に互い違いに位置し、接地面が連続するまたは本質的に連続する形状となることを特徴とする、
ハンドカートである。
【００１４】
第６の発明にあっては、
回動する各車輪構成部材を所要の位置で停止させるための手段が形成されていることを特徴とする、
第５の発明に係るハンドカートである。
【００１５】
第７の発明にあっては、
走行車輪の逆回転防止または停止手段と、逆回転解除手段を備えていることを特徴とする、
第１、第２、第３、第５または第６の発明に係るハンドカートである。
【００１６】
第８の発明にあっては、
走行車輪は左右一対であることを特徴とする、
第１、第２、第３、第５、第６または第７の発明に係るハンドカートである。
【００１７】
本明細書及び本特許請求の範囲にいう「走行車輪に係る各凹部」は、例えば、側面視で凹部の底部分が９０°の扇形に切り欠いて形成されているものが挙げられるが、これに限定するものではなく、例えば、Ｖ字状、Ｕ字状、凵字状その他開口部を有する公知形状等に形成された切欠部であってもよいし、その他本質的に凹部になるよう形成されたもの等であってもよい。
【００１８】
本明細書及び本特許請求の範囲にいう「逆回転防止手段」としては、走行車輪が順方向にのみ回転し逆回転することを防止する手段、例えば、走行車輪に設けられた歯車と付勢された係止爪によって一方向にしか回転しないようにし、走行車輪が逆回転しようとすると歯車の歯の間に爪が押し込まれて車輪の回転を止めるよう形成されたもの等が挙げられるが、これに限定するものではなく、逆回転防止に係る他の公知手段であってもよい。また、「逆回転停止手段」としては、例えば、自転車のブレーキのようにワイヤーによってブレーキ体を操作して走行車輪を停止するものであって、ハンドル装置にブレーキレバーを設けたようなものが挙げられるが、これに限定するものではなく、逆回転停止に係る他の公知手段であってもよい。
【００１９】
本明細書及び本特許請求の範囲にいう「回動する各車輪構成体を所要の位置で停止させるための手段」は、例えば、係止ピン及びリング、ばね、係合溝から構成され、ばねで付勢された係止ピンと係合溝が係合して、回動する各車輪構成体を所要の位置で停止させるものが挙げられるが、これに限定するものではなく、回動停止に係る他の公知手段であってもよい。
【００２０】
なお、本特許請求の範囲では、本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００２１】
（作  用）
まず、ハンドカートの載置部に物品を載置する。
円形状の車輪の外周部分から中心方向に向けて等間隔で所要数の凹部が形成され、残部は接地面となっており、凹部は階段の踏面と蹴込とで形成される角部を受け入れるよう形成されており、残部の接地面は車輪の走行周面を構成し、走行時に走行周面が形成する軌跡は円形状をなすよう形成されていることを特徴とするハンドカートは、階段等を牽引して登る場合、走行車輪外周において切欠部と接地面が断続的に位置し、切欠部は階段の蹴込部を乗り越える際に角部に係合する、または係合しやすくなるので、走行車輪は滑落しにくい。
また、平坦路で牽引する場合、各走行車輪に係る各接地面が車輪の走行周面を構成し、走行時に走行周面が形成する軌跡は円形状をなし、接地面の連続性が保たれるので、平坦路に点在する小障害物に引っかかりにくくなる。
【００２２】
車輪は外周の形状を変えることができるよう構成されたハンドカート、階段走行時には、階段の踏み面と蹴込とで形成される角部を受け入れる凹部が形成され、それ以外の時には外周が円形状をなすよう構成された車輪を備えたハンドカートについては、階段等を登る場合は階段の踏み面と蹴込とで形成される角部を受け入れる凹部が形成され、蹴込を乗り越える際に走行車輪接地面に形成された凹部が階段等の角部に係合する、または係合しやすくなり、走行車輪が滑落しにくい。
また、上記ハンドカートを平坦路で使用する時は、ハンドカートの各走行車輪の外周を円形状にすることにより、接地面の連続性が保たれて平坦路に点在する小障害物に引っかかりにくくなる。
【００２３】
幅方向に配置された所要数の車輪構成部材を有し、該車輪構成部材をずらすことにより車輪の外周の形状を変えることができるハンドカート用車輪については、階段等を登る場合は該車輪構成部材をずらすことにより階段の踏み面と蹴込とで形成される角部を受け入れる凹部が形成され、蹴込を乗り越える際に走行車輪接地面に形成された凹部が階段等の角部に係合する、または係合しやすくなり、走行車輪が滑落しにくい。
また、上記ハンドカート用車輪を平坦路で使用する時は、該車輪構成部材をずらすことにより各走行車輪の外周が円形状に形成され、接地面の連続性が保たれて平坦路に点在する小障害物に引っかかりにくくなる。
【００２４】
各走行車輪が略円盤状に形成された二以上の車輪構成部材を幅方向に配置して構成され、各走行車輪の外径は、階段等の蹴込の高さと同等または本質的に同等あるいは径大に形成され、各車輪構成部材の外周の所要箇所に全幅または幅方向の一部にわたって階段等の角部が嵌入し係合するよう形成された複数の凹部が設けられ、各凹部間の外周部は接地面を構成され、各接地面は車輪の走行周面を構成し、走行時に走行周面が形成する軌跡は円形状をなすよう形成され、車輪構成部材は車軸を中心に所要角度回動可能に形成され、各車輪構成部材を回動させると、外周に形成された各凹部及び各接地面の組み合わせにより現れる走行車輪外周面の形状が変化し、走行車輪外周面に係る一の形状は各車輪構成部材に係る凹部が幅方向に互いに合致し、走行車輪外周において断続的に凹部と接地面が連続する形状となり、走行車輪外周面に係る他の形状は各車輪構成部材に係る凹部と接地面を幅方向に互い違いに位置し、接地面が連続するまたは本質的に連続する形状となることを特徴とするハンドカートについては、階段等を登る場合、使用前に、車輪構成体に係る各凹部と各接地面が互いに幅方向に揃うよう合致させ、走行車輪外周において断続的に凹部と円周面が連続するように位置させる。
回動する各車輪構成体を所要の位置で停止させるための手段が形成されているハンドカートにあっては、当該手段により各車輪構成体を所要の位置で停止させる。その後、搬送者が先に段差を登り、その後ハンドカートを牽引しながら階段を登る。
また、平坦路では、使用前に、走行車輪に係る車輪構成体を車軸を中心に所要角度回動させる。具体的には、各車輪構成体に係る凹部と接地面を幅方向に互い違いに位置させ、接地面が連続するまたは本質的に連続するように位置させる。
回動する各車輪構成体を所要の位置で停止させるための手段が形成されているハンドカートにあっては、当該手段により各車輪構成体を所要の位置で停止させる。その後、ハンドカートを牽引または押して、物品を搬送する。
【００２５】
走行車輪は、外径が階段等の蹴込の高さと同等または本質的に同等あるいは径大に形成されているので、蹴込を乗り越えやすい。
また、蹴込を乗り越える際に、各車輪構成体の外周の所要箇所に設けられた全幅または幅方向の一部にわたる複数の凹部が階段等の角部と係合し、角部において走行車輪が滑落しにくい。
【００２６】
走行車輪の逆回転防止または停止手段と逆回転解除手段を備えているハンドカートにあっては、ハンドカートが階段下へ逆走しない。
【発明の効果】
【００２７】
本発明によれば、次の効果を奏する。
円形状の車輪の外周部分から中心方向に向けて等間隔で所要数の凹部が形成され、残部は接地面となっており、凹部は階段の踏面と蹴込とで形成される角部を受け入れるよう形成されており、残部の接地面は車輪の走行周面を構成し、走行時に走行周面が形成する軌跡は円形状をなすよう形成されていることを特徴とするハンドカートは、階段等を牽引して登る場合、走行車輪外周において切欠部と接地面が断続的に位置し、切欠部は階段の蹴込部を乗り越える際に角部に係合する、または係合しやすくなるので、走行車輪は滑落しにくい。このため、ハンドカートを使用する搬送者は、階段等においても安全に段差を登ることができ、且つ肉体的負担を軽減できる。
また、平坦路で牽引する場合、各走行車輪に係る各接地面が車輪の走行周面を構成し、走行時に走行周面が形成する軌跡は円形状をなし、接地面の連続性が保たれるので、平坦路に点在する小障害物に引っかかりにくくなる。このため、平坦路における走行性が良く、搬送者の肉体的負担を軽減できる。
【００２８】
車輪は外周の形状を変えることができるよう構成されたハンドカート、階段走行時には、階段の踏み面と蹴込とで形成される角部を受け入れる凹部が形成され、それ以外の時には外周が円形状をなすよう構成された車輪を備えたハンドカートについては、階段等を登る場合は階段の踏み面と蹴込とで形成される角部を受け入れる凹部が形成され、蹴込を乗り越える際に走行車輪接地面に形成された凹部が階段等の角部に係合する、または係合しやすくなり、走行車輪が滑落しにくい。このため、本発明に係るハンドカートを使用する搬送者は、階段等においても安全に段差を登ることができる。
また、上記ハンドカートを平坦路で使用する時は、ハンドカートの各走行車輪の外周を円形状にすることにより、接地面の連続性が保たれて平坦路に点在する小障害物に引っかかりにくくなる。このため、走行性が良く、搬送者の肉体的負担を軽減できる。
【００２９】
幅方向に配置された所要数の車輪構成部材を有し、該車輪構成部材をずらすことにより車輪の外周の形状を変えることができるハンドカート用車輪については、階段等を登る場合は該車輪構成部材をずらすことにより階段の踏み面と蹴込とで形成される角部を受け入れる凹部が形成され、蹴込を乗り越える際に走行車輪接地面に形成された凹部が階段等の角部に係合する、または係合しやすくなり、走行車輪が滑落しにくい。このため、本発明に係るハンドカートを使用する搬送者は、階段等においても安全に段差を登ることができる。
また、上記ハンドカート用車輪を平坦路で使用する時は、該車輪構成部材をずらすことにより各走行車輪の外周が円形状に形成され、接地面の連続性が保たれて平坦路に点在する小障害物に引っかかりにくくなる。このため、走行性が良く、搬送者の肉体的負担を軽減できる。
【００３０】
各走行車輪が略円盤状に形成された二以上の車輪構成部材を幅方向に配置して構成され、各走行車輪の外径は、階段等の蹴込の高さと同等または本質的に同等あるいは径大に形成され、各車輪構成部材の外周の所要箇所に全幅または幅方向の一部にわたって階段等の角部が嵌入し係合するよう形成された複数の凹部が設けられ、各凹部間の外周部は接地面を構成され、各接地面は車輪の走行周面を構成し、走行時に走行周面が形成する軌跡は円形状をなすよう形成され、車輪構成部材は車軸を中心に所要角度回動可能に形成され、各車輪構成部材を回動させると、外周に形成された各凹部及び各接地面の組み合わせにより現れる走行車輪外周面の形状が変化し、走行車輪外周面に係る一の形状は各車輪構成部材に係る凹部が幅方向に互いに合致し、走行車輪外周において断続的に凹部と接地面が連続する形状となり、走行車輪外周面に係る他の形状は各車輪構成部材に係る凹部と接地面を幅方向に互い違いに位置し、接地面が連続するまたは本質的に連続する形状となることを特徴とするハンドカートについては、階段等を登る場合は、各走行車輪構成部に係る各凹部と各接地面が互いに幅方向に揃うよう合致させ、走行車輪外周において断続的に凹部と円周面が連続するように位置させることにより、階段の蹴込を乗り越える際に走行車輪接地面に形成された凹部が階段等の角部に係合する、または係合しやすくなり、走行車輪が滑落しにくい。また、走行車輪は、外径が階段等の蹴込の高さと同等または本質的に同等あるいは径大に形成されているので蹴込を乗り越えやすく、搬送者の肉体的負担を軽減できる。このため、本発明に係るハンドカートを使用する搬送者は、階段等においても安全に段差を登ることができる。
【００３１】
また、上記ハンドカートを平坦路で使用する時は、使用前に各車輪構成体に係る凹部と接地面を幅方向に互い違いに位置させ、接地面が連続するまたは本質的に連続するように位置させることにより、接地面の連続性が保たれて平坦路に点在する小障害物に引っかかりにくくなる。また、走行車輪の外径が階段等の蹴込の高さと同等または本質的に同等あるいは径大に形成されているので、平坦路に点在する小障害物を乗り越えやすく、低段差等に嵌り込みにくい。このため、走行性が良く、搬送者の肉体的負担を軽減できる。
【００３２】
回動する各車輪構成体を所要の位置で停止させるための手段が形成されているハンドカートにあっては、当該手段により各車輪構成体を所要の位置で停止させ、使用中に各車輪構成体に係る凹部等の位置がずれないので、角部において走行車輪が滑落しない、または滑落しにくい。このため、ハンドカートを使用する搬送者の安全性が更に向上する。
【００３３】
走行車輪の逆回転防止または停止手段と逆回転解除手段を備えているものは、坂道や階段等の途中で止まっても下り方向へ逆走しないため、搬送時の安全性が向上する。また、坂道や階段等の途中で止まった状態でもハンドルを引っ張る力が少なくて済む。このため、搬送者の肉体的負担を軽減できる。
【００３４】
走行車輪に凹部を設けた簡易な構造であるため部品点数が少なくて済み、製造コストを安くすることができる。また、見た目のまとまりがよい。
【発明を実施するための最良の形態】
【００３５】
図１は本発明に係る第１の実施の形態に係るハンドカートの斜視説明図、
図２は本発明に係る第１の実施の形態に係るハンドカートの走行車輪部分を示す拡大説明図である。
図１及び図２を参照して、第１の実施の形態に係るハンドカート１ａを説明する。
【００３６】
ハンドカート１ａは、ハンドル装置１１０と、ハンドル装置等取付基部１２０と、走行車輪２ａと、載置部３により構成されている。ハンドカート１ａは、走行車輪２ａのタイヤを除き、主にアルミニウム合金で形成されている。
【００３７】
ハンドル装置１１０は、ハンドル１１１と、一対のガイド部材１１２と、横フレーム部材１１３により構成されている。
ハンドル１１１は円管を曲げて門形に形成している。なお、ハンドル１１１は、ハンドル１１１の両側部を所要位置から背面方向の斜め上方向に曲げてある。
各ガイド部材１１２は略四角柱状に形成されており、各角部に突起部が設けられている。なお、ハンドル１１１の各下端部と各ガイド部材１１２の上端部は固着されている。
横フレーム部材１１３は、ハンドル１１１とガイド部材１１２の各固着部分近傍間に横架して固着されている。また、横フレーム部材１１４は、各ガイド部材１１２の略中間部に横架して固着されている。
【００３８】
ハンドル装置等取付基部１２０は、横フレーム部材１２１と、一対のレール部材１２２により構成されている。
各レール部材１２２は四角筒状に形成されており、左右に相対するよう設けられている。各レール部材１２２は、前述の各ガイド部材１１２がその中にちょうど収まる大きさに形成されている。
各レール部材１２１の相対する面には、高さ方向略全長にわたり切欠部が設けられている。切欠部の幅は、横フレーム部材１１３及び１１４の太さとほぼ同様である。
横フレーム部材１２１は、各レール部材１２２の上端部に横架して固着されている。
【００３９】
各走行車輪２ａは走行車輪取付基部２２０に取り付けられており、走行車輪取付基部２２０は、ハンドル装置等取付基部１２０下部の背面側に設けられている。
走行車輪取付基部２２０は、板状体を上面視凵形曲げて形成されており、各側部に走行車輪２ａが正対して設けられている。
本実施の形態において、走行車輪２ａは、直径約２８ｃｍに形成されている。
走行車輪２ａは、それぞれ独立して回転可能に設けられており、走行車輪間に車軸は通されていない。
【００４０】
走行車輪２ａは合成樹脂材により形成されている。
走行車輪２ａの外周には切欠部２１１が複数設けられている。
各切欠部２１１は、走行車輪２ａの外周部の計８箇所に等間隔で設けられており、車軸を挟んで正対するよう位置している。
各切欠部２１１は、走行車輪２ａの各外周面の全幅にわたって、側面視で凹部の底部分が９０°の扇形の切り欠き部分を有している。
【００４１】
各切欠部２１１の間に挟まれた外周面は、接地面２１２を構成する。
各接地面２１２は、走行車輪２ａの走行周面を構成し、走行時に走行周面が形成する軌跡は円形状をなすよう形成されている。（図２、図３参照）
【００４２】
走行車輪２の走行車輪取付基部２２０側には、歯車２１３が設けられている。歯車２１３の各歯は、円周方向に突設し順回転方向側に下り傾斜した側面視山形に形成されている。
【００４３】
係止爪２２１は、走行車輪取付基部２２０側部と走行車輪２の間に設けられている。係止爪２２１の一端は、走行車輪取付基部２２０に軸支して取着されており、他端は歯車２１３と係合している。（図２参照）
なお、係止爪２２１は、付勢手段により歯車２１３方向に対して付勢されているが、付勢手段の図示は省略する。
【００４４】
載置部３は、載置台３１０と軸受部３２０により構成されている。
載置台３１０は長方形の板状体に形成されており、一方の長手部に軸受部３２０が設けられている。
軸受部３２０は、ハンドル体等取付基部１２０下方であって各レール部材１２０の間に挟まれた位置に設けられている。
載置部３は、図１で示す矢印の方向に軸動可能に設けられている。
【００４５】
（作  用）
図３は本発明に係る第１の実施の形態に係るハンドカートの使用状態説明図である。
図１ないし図３を参照して、ハンドカート１ａの作用について説明する。
【００４６】
図１を参照する。まずハンドカート１ａに係る載置台３１０に荷物４を載置する。
平坦路においては、従来のハンドカートと同様に、ハンドカートを牽引または押して、物品を搬送する。
【００４７】
ハンドカート１ａは、各走行車輪２ａに係る各接地面２１２が車輪２ａの走行周面を構成し、走行時に走行周面が形成する軌跡は円形状をなし、接地面２１２の連続性が保たれるので、平坦路に点在する小障害物に引っかかりにくくなる。
また、直径約２８ｃｍに形成された走行車輪２ａは、平坦路に点在する小障害物を乗り越えやすく、低段差等に嵌り込みにくい。更にまた、走行車輪２ａはそれぞれ独立して回転可能であるため、方向転換の際に小回りが利く。
このため、平坦路における走行性が良く、搬送者の肉体的負担を軽減できる。
【００４８】
なお、積載する荷物４の大きさや搬送者の身長等にあわせて、ハンドル装置１１０を上下にスライドさせてハンドル１１１を好適な位置に調節すると、搬送時に搬送者の姿勢が楽になり、肉体的負担を軽減できる。
【００４９】
図３を参照して、階段等を登る場合を説明する。
階段等は、蹴込部５１と、踏面部５２と、角部５３から構成されており、蹴込５１の高さは、一般的に約１８〜２５ｃｍに形成されている。
【００５０】
まず、搬送者は先に階段等を登り、ハンドカート１ａを牽引して登る。
ハンドカート１ａは、各走行車輪２ａ外周において切欠部２１１と接地面２１２が断続的に位置し、切欠部２１１は階段の蹴込部５１を乗り越える際に角部５３に係合する、または係合しやすくなるので、走行車輪２は滑落しにくい。
また、直径約２８ｃｍに形成された走行車輪２は、蹴込５１の高さと同等あるいは径大に形成されているため、階段の蹴込部５１を乗り越えやすい。
このため、ハンドカート１を使用する搬送者は、階段等においても安全に段差を登ることができ、且つ肉体的負担を軽減できる。
【００５１】
また、階段を登る際に、ハンドカート１ａは、前進することはできるが走行車輪２ａが逆回転を始めると歯車２１３に係止爪２２１が係合して回転が停止する走行車輪の逆回転防止または停止手段を備えているため、ハンドカート１ａが階段下へ逆走しない。このため、階段等の途中で停止する場合に、常に力を入れてハンドカート１ａを牽引しておく必要がなく、搬送者の肉体的負担は軽減する。また、階段等の下方向に逆走することを防止できるため、搬送者の作業中の安全性も向上する。
なお、ハンドカート１ａは、坂道においても上記と同様の作用により、搬送者の肉体的負担軽減および作業の安全性向上に貢献する。
【００５２】
使用後、ハンドカート１ａは、ハンドル装置１１０を縮めさせ、載置部３を畳んで収納すれば、保管に際して嵩張らない。（図１の想像線を参照）
【００５３】
走行車輪に凹部を設けた簡易な構造であるため部品点数が少なくて済み、製造コストを安くすることができる。また、見た目のまとまりがよい。
【００５４】
図４は本発明に係る第２の実施の形態に係るハンドカートの斜視説明図、
図５は本発明に係る第２の実施の形態に係るハンドカートの走行車輪を示す拡大説明図、
図６は本発明に係る第２の実施の形態に係るハンドカートの走行車輪及び取着部分を示す拡大説明図である。
図４ないし図６を参照して、第２の実施の形態に係るハンドカートを説明する。
なお、ハンドル装置１１０とハンドル装置等取付基部１２０と載置部３については、第１の実施の形態に係るハンドカート１ａと同等であるため、該当箇所の説明は省略し、同等の構造部分については、図１に係るハンドカート１ａと同じ符号を付している。
【００５５】
ハンドカート１ｂは、ハンドル装置１１０と、ハンドル装置等取付基部１２０と、走行車輪２ｂと、載置部３により構成されている。ハンドカート１ｂは、走行車輪２ｂのタイヤを除き、主にアルミニウム合金で形成されている。
【００５６】
各走行車輪２ｂは走行車輪取付基部２２０に取り付けられており、走行車輪取付基部２２０は、ハンドル装置等取付基部１２０下部の背面側に設けられている。
走行車輪取付基部２２０は、板状体を上面視凵形曲げて形成されており、各側部に走行車輪２ｂが正対して設けられている。
走行車輪２ｂは、直径約２８ｃｍに形成され、それぞれ独立して回転可能に設けられており、走行車輪間に車軸は通されていない。
【００５７】
走行車輪２ｂは、タイヤを縦半分にした形状の車輪構成体２０１，２０２を、平面部を向かい合わせて対称に配置して構成されている。（図４及び図５参照）
車輪構成体２０１，２０２は合成樹脂材により形成されている。
車輪構成体２０１，２０２は、互いに車軸を中心に回動可能であり、回動角度は２２．５°である。
【００５８】
車輪構成体２０１，２０２の外周部には、切欠部２１１が複数設けられている。
各切欠部２１１は、車輪構成体２０１，２０２の外周部の計８箇所に等間隔で設けられており、車軸を挟んで正対するよう位置している。
各切欠部２１１は、車輪構成体２０１，２０２の各外周面の全幅にわたって、側面視で凹部の底部分が９０°の扇形の切り欠き部分を有している。
【００５９】
各切欠部２１１の間に挟まれた外周面は、接地面２１２を構成する。
各接地面２１２は、走行車輪２ｂの走行周面を構成し、走行時に走行周面が形成する軌跡は円形状をなすよう形成されている。（図５及び図６参照）
【００６０】
走行車輪２ｂの走行車輪取付基部２２０側には、歯車２１３が設けられているが、ハンドカート１ａにかかるものと同等であるため、説明を省略する。
【００６１】
走行車輪２ｂの外側に位置する車輪構成体２０１には、回動停止手段２３０が設けられている。回動停止手段２３０は、係止ピン２３１と、リング２３２と、ばね２３３と、係合溝２３４から構成されている。
回動停止手段２３０は、車輪構成体２０１，２０２の軸動角度が２２．５°になるように形成されている。
係止ピン２３１の外側に露出した端部にはリング２３２が設けられている。
ばね２３３により、係止ピン２３１は車輪構成体２０２方向に付勢されている。
係合溝２３４は、係止ピン２３１が移動幅が０°から２２．５°の位置になるよう形成されており、０°及び２２．５°の位置に深孔を設け、該深孔間を浅孔で結んでいる。該深孔は、車輪構成体２０２まで届くよう形成されている。（図５及び図６参照）
【００６２】
載置部３は、図４で示す矢印の方向に軸動可能に設けられている。
【００６３】
（作  用）
図７は本発明に係るハンドカートを平坦路で使用した状態の説明図、
図８は本発明に係るハンドカートを階段で使用した状態の説明図である。
図４乃至図８を参照して、ハンドカート１ｂの作用について説明する。
【００６４】
図７を参照する。まずハンドカート１ｂに係る載置台３１０に荷物４を載置する。
平坦路での使用に際し、回動停止手段２３０のリング２３２を引き、係止ピン２３１の内部側先端部を係合溝２３４に係る浅孔に沿ってスライドさせながら、走行車輪２ｂに係る車輪構成体２０１，２０２を車軸を中心に回動させる。
具体的には、各車輪構成体２０１，２０２に係る切欠部２１１と接地面２１２が幅方向に互い違いに位置させる。（図５参照）
位置させた後、回動停止手段２３０のリング２３２から手を離せば、ばね２３３により付勢された係止ピン２３１の内部側先端部は、係合溝２３４に係る深孔に係合し、車輪構成体２０１，２０２の位置を固定する。
上記作業後、ハンドカート１ｂを牽引または押して、物品を搬送する。
【００６５】
ハンドカート１ｂは、各車輪構成体２０１，２０２に係る各切欠部２１１と各接地面２１２が幅方向に互い違いに位置し、接地面２１２が連続するまたは本質的に連続するように位置している。
このため、各接地面２１２は車輪の走行周面を構成し、走行時に走行周面が形成する軌跡は円形状をなし、接地面２１２の連続性が保たれるので、平坦路に点在する小障害物に引っかかりにくくなる。
また、直径約２８ｃｍに形成された走行車輪２ｂは、平坦路に点在する小障害物を乗り越えやすく、低段差等に嵌り込みにくい。更にまた、走行車輪２ｂはそれぞれ独立して回転可能であるため、方向転換の際に小回りが利く。
このため、平坦路における走行性が良く、搬送者の肉体的負担を軽減できる。
【００６６】
なお、積載する荷物４の大きさや搬送者の身長等にあわせて、ハンドル装置１１０を上下にスライドさせてハンドル１１１を好適な位置に調節すると、搬送時に搬送者の姿勢が楽になり、肉体的負担を軽減できる。
【００６７】
図８を参照して、階段等を登る場合を説明する。なお、回転停止手段２３０に係る作用は前述しているため、説明を省略する。また、階段等は図３に示すものと同等であるため、説明を省略する。
【００６８】
まず、搬送者は、階段等を登る前に、回動停止手段２３０を解除して、走行車輪２ｂに係る車輪構成体２０１，２０２を車軸を中心に回動させる。
具体的には、車輪構成体２０１，２０２に係る各切欠部２１１と各接地面２１２が互いに幅方向に揃うよう合致させ、走行車輪２ｂ外周において断続的に切欠部２１１と接地面２１２が連続するように位置させた後、回動停止手段２３０により車輪構成体２０１，２０２の位置を固定する。（図４、図８参照）
上記作業後、搬送者は先に階段等を登り、ハンドカート１ｂを牽引して登る。
【００６９】
また、蹴込部５１を乗り越える際に、車輪構成体２０１，２０２に係る切欠部２１１のいずれかは、角部５３に係合する、または係合しやすい。（図８参照）
【００７０】
ハンドカート１ｂは、各車輪構成体２０１，２０２に係る各切欠部２１１と各接地面２１２が互いに幅方向に揃って合致し、走行車輪２ｂ外周において断続的に切欠部２１１と接地面２１２が連続するように位置している。このため、切欠部２１１は幅広になり、階段の蹴込部５１を乗り越える際に角部５３に係合する、または係合しやすくなるので、走行車輪２ｂは滑落しにくい。
また、直径約２８ｃｍに形成された走行車輪２ｂは、蹴込５１の高さと同等あるいは径大に形成されているため、階段の蹴込部５１を乗り越えやすい。
このため、ハンドカート１ｂを使用する搬送者は、階段等においても安全に段差を登ることができ、且つ肉体的負担を軽減できる。
【００７１】
回動停止手段２３０により、各車輪構成体２０１，２０２は所要の位置で停止し、使用中に各車輪構成体２０１，２０２に係る切欠部２１１等の位置がずれない。このため、角部５３において走行車輪２ｂが滑落しない、または滑落しにくくなり、搬送者の安全性が更に向上する。
【００７２】
また、階段を登る際に、ハンドカート１ｂは、前進することはできるが走行車輪２ｂが逆回転を始めると歯車２１３に係止爪２２１が係合して回転が停止する走行車輪の逆回転防止または停止手段を備えているため、ハンドカートが階段下へ逆走しない。（図６参照）
このため、階段等の途中で停止する場合に、常に力を入れてハンドカートを牽引しておく必要がなく、搬送者の肉体的負担は軽減する。また、階段等の下方向に逆走することを防止できるため、搬送者の作業中の安全性も向上する。
なお、ハンドカート１ｂは、坂道においても上記と同様の作用により、搬送者の肉体的負担軽減および作業の安全性向上に貢献する。
【００７３】
使用後、ハンドカート１ｂは、ハンドル装置１１０を縮めさせ、載置部３を畳んで収納すれば、保管に際して嵩張らない。（図４の想像線を参照）
【００７４】
走行車輪２ｂに凹部を設けた簡易な構造であるため部品点数が少なくて済み、製造コストを安くすることができる。また、見た目のまとまりがよい。
【００７５】
本実施の形態では、ハンドカートはアルミニウム合金により形成されているが、これに限定するものではなく、他の素材、例えば、ステンレススチール、鉄、銅、チタン等の他の金属、合成樹脂、炭素繊維強化プラスティック等あるいはこれらを組み合わせにより形成したものであってもよい。
【００７６】
本実施の形態では、タイヤは合成樹脂材により形成されているが、これに限定するものではなく、他の素材、例えば、ゴム、アルミニウム合金、ステンレススチール、鉄、銅、チタン等の他の金属、木材、炭素繊維強化プラスティック等あるいはこれらを組み合わせにより形成したものであってもよい。
【００７７】
本実施の形態では、ハンドルを入れ子式にして伸縮可能に形成しているが、これに限定するものではなく、例えば、ハンドル下部に複数の孔を設けた板状体と、取付基部に対応する孔を設けて、ネジまたはピンを上記各孔に挿通させて、ハンドル位置を調節するような形状に形成してもよいし、その他の公知手段であってもよい。
【００７８】
本実施の形態では、走行車輪は逆回転防止手段のみ設けられているが、これに限定するものではなく、搬送者の必要に応じて逆回転防止手段を解除できるようにしたものや、走行車輪の順回転及び逆回転を停止する安全装置を設けたものであってもよい。
【００７９】
本実施の形態では、歯車はタイヤに設けられているが、これに限定するものではなく、他の場所、例えば、歯車を走行車輪の回転軸等に設けたものであってもよい。
【００８０】
本実施の形態では、切欠部を設ける所要箇所としては、等間隔に計８箇所設けられているが、これに限定するものではなく、例えば、２以上８未満の箇所に設けてもよいし９以上の箇所に設けてもよいが、切欠部が少ないと角部に係合しにくくなるので、４以上の箇所に設けることが好適である。
また、本実施の形態では、車輪構成体の回動角度は２２．５°であるが、この数値に限定するものではなく、切欠部の数等に合わせて適宜設定すればよい。
【００８１】
本実施の形態では、載置部は軸支された基部から折り畳んで収納できるよう形成されているが、これに限定するものではなく、例えば、載置部を入れ子式に伸縮できるよう形成されているもの等の公知技術であってもよい。
【００８２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００８３】
【図１】本発明に係る第１の実施の形態に係るハンドカートの斜視説明図。
【図２】本発明に係る第１の実施の形態に係るハンドカートの走行車輪部分を示す拡大説明図。
【図３】本発明に係る第１の実施の形態に係るハンドカートの使用状態説明図。
【図４】本発明に係る第２の実施の形態に係るハンドカートの斜視説明図。
【図５】本発明に係る第２の実施の形態に係るハンドカートの走行車輪を示す拡大説明図。
【図６】本発明に係る第２の実施の形態に係るハンドカートの走行車輪及び取着部分を示す拡大説明図。
【図７】本発明に係る第２の実施の形態に係るハンドカートを平坦路で使用した状態の説明図。
【図８】本発明に係る第２の実施の形態に係るハンドカートを階段で使用した状態の説明図。
【符号の説明】
【００８４】
１ａ    ハンドカート
１ｂ    ハンドカート
１１０  ハンドル装置
１１１  ハンドル
１１２  ガイド部材
１１３  横フレーム部材
１１４  横フレーム部材
１２０  ハンドル装置等取付基部
１２１  横フレーム部材
１２２  レール部材
２ａ    走行車輪
２ｂ    走行車輪
２０１  車輪構成体
２０２  車輪構成体
２１１  切欠部
２１２  接地面
２１３  歯車
２２０  走行車輪取付基部
２２１  係止爪
２３０  回動停止手段
２３１  係止ピン
２３２  リング
２３３  ばね
２３４  係合溝
３      載置部
３１０  載置台
３２０  軸受部
４      荷物
５１    蹴込部
５２    踏面部
５３    角部
【図１】
2005313873.tif 000003
【図２】
2005313873.tif 000004
【図３】
2005313873.tif 000005
【図４】
2005313873.tif 000006
【図５】
2005313873.tif 000007
【図６】
2005313873.tif 000008
【図７】
2005313873.tif 000009
【図８】
2005313873.tif 000010